(57)【要約】【課題】ベースプレートとフロントパネルとを着脱する固定部がベースプレートとフロントパネルの上部に設けられている場合であっても、確実に爪部の存在を認識することができる空気調和装置の室内機を提供する。【解決手段】室内の壁面に固定されるベースプレート３と、ベースプレート３に対して固定されるフロントパネルと、ベースプレート３の上部とフロントパネルの上部との間に設けられ、着脱可能とされた固定部７とを備え、固定部７は、ベースプレート３に設けられ、下方に凹むと共に挿入穴が形成された凹部８と、フロントパネルに設けられ、挿入穴に差し込まれて凹部８内に進出して係合する爪部９とを備え、凹部８は、凹部８に挿入された爪部９との間に触手可能な底面８ａを有している。【選択図】図３
2018189281.tif 000002
【特許請求の範囲】
【請求項１】
室内の壁面に固定されるベースプレートと、
該ベースプレートに対して固定されるフロントパネルと、
前記ベースプレートの上部と前記フロントパネルの上部との間に設けられ、着脱可能とされた固定部と、
を備え、
前記固定部は、前記ベースプレート及び前記フロントパネルのいずれか一方に設けられ、下方に凹むと共に挿入穴が形成された凹部と、前記ベースプレート及び前記フロントパネルの他方に設けられ、前記挿入穴に差し込まれて前記凹部内に進出して係合する爪部とを備え、
前記凹部は、該凹部に挿入された前記爪部との間に触手可能な底面を有していることを特徴とする空気調和装置の室内機。
【請求項２】
室内の壁面に固定されるベースプレートと、
該ベースプレートに対して固定されるフロントパネルと、
前記ベースプレートの上部と前記フロントパネルの上部との間に設けられ、着脱可能とされた固定部と、
を備え、
前記固定部は、前記ベースプレート及び前記フロントパネルのいずれか一方に設けられ、下方に凹むと共に挿入穴が形成された凹部と、前記ベースプレート及び前記フロントパネルの他方に設けられ、前記挿入穴に差し込まれて前記凹部内に進出して係合する爪部とを備え、
前記爪部の上面には、凹所又は凸部が設けられていることを特徴とする空気調和装置の室内機。
【請求項３】
前記固定部は、複数設けられ、
複数の前記固定部の少なくとも１つには、前記爪部が前記凹部に配置され、
その他の前記固定部には、前記爪部が前記凹部に配置されていないことを特徴とする請求項１又は２に記載の空気調和装置の室内機。
【発明の詳細な説明】
【技術分野】
【０００１】
本発明は、ベースプレートに対してフロントパネルが固定された構造を有する空気調和装置の室内機に関するものである。
【背景技術】
【０００２】
空気調和装置の室内機のケースは、据え付け作業やメンテナンス作業のために着脱可能となっている。例えば特許文献１には、本体ケースの前面パネルを着脱する構成が開示されている。
【先行技術文献】
【特許文献】
【０００３】
【特許文献１】特開２００７−１４７１１８号公報
【発明の概要】
【発明が解決しようとする課題】
【０００４】
しかし、特許文献１の上記構成とは異なり、室内の壁面に固定されたベースプレートとフロントパネルとを固定する場合、ベースプレートとフロントパネルの上部に設けられた固定部が用いられる。固定部としては、ベースプレートに設けられ、下方に凹むと共に挿入穴が形成された凹部と、フロントパネルに設けられ、挿入穴に差し込まれて凹部内に進出して係合する爪部とが用いられる。
固定部がベースプレート及びフロントパネルの上部に存在するので、視認性が悪く、作業者は手探りでの作業となる。このため、固定部の爪部が凹部に挿入された固定状態なのか、爪部が凹部に挿入されていない解除状態なのかが分からず爪部を誤って外してしまい、予期せぬタイミングでフロントパネルを落下させてしまうおそれがある。
【０００５】
また、室内機の機種に応じて、複数の固定部のうち、凹部に爪部を挿入して固定する箇所と、凹部に爪部を挿入せずに固定部として用いずダミーとする箇所とを設ける場合がある。例えば、フロントパネルが重い機種の場合には、フロントパネルが軽い機種に比べて凹部に爪部を挿入して固定する箇所を多くするといった運用が行われる（すなわち、軽い機種はダミーとして用いる固定部が多い）。この様な場合、固定部の凹部に爪部が挿入されているのか否かを作業者の触手によって確実に認識することが求められる。
【０００６】
本発明は、このような事情に鑑みてなされたものであって、ベースプレートとフロントパネルとを着脱する固定部がベースプレートとフロントパネルの上部に設けられている場合であっても、確実に爪部の存在を認識することができる空気調和装置の室内機を提供することを目的とする。
【課題を解決するための手段】
【０００７】
上記課題を解決するために、本発明の空気調和装置の室内機は以下の手段を採用する。
すなわち、本発明にかかる空気調和装置の室内機は、室内の壁面に固定されるベースプレートと、該ベースプレートに対して固定されるフロントパネルと、前記ベースプレートの上部と前記フロントパネルの上部との間に設けられ、着脱可能とされた固定部とを備え、前記固定部は、前記ベースプレート及び前記フロントパネルのいずれか一方に設けられ、下方に凹むと共に挿入穴が形成された凹部と、前記ベースプレート及び前記フロントパネルの他方に設けられ、前記挿入穴に差し込まれて前記凹部内に進出して係合する爪部とを備え、前記凹部は、該凹部に挿入された前記爪部との間に触手可能な底面を有していることを特徴とする。
【０００８】
固定部の凹部に設けた挿入穴に爪部を挿入して係合することによって、ベースプレートとフロントパネルとを着脱可能に固定する。凹部には、挿入された爪部との間に作業者の指で触手可能な底面が設けられているので、作業者が底面と爪部との段差を触手によって認識し、爪部の存在を確認することができる。したがって、ベースプレートとフロントパネルとを着脱する固定部がベースプレートとフロントパネルの上部に設けられており、作業者が視認困難な場合であっても、確実に爪部の存在を認識することができる。
【０００９】
また、本発明にかかる空気調和装置の室内機は、室内の壁面に固定されるベースプレートと、該ベースプレートに対して固定されるフロントパネルと、前記ベースプレートの上部と前記フロントパネルの上部との間に設けられ、着脱可能とされた固定部とを備え、前記固定部は、前記ベースプレート及び前記フロントパネルのいずれか一方に設けられ、下方に凹むと共に挿入穴が形成された凹部と、前記ベースプレート及び前記フロントパネルの他方に設けられ、前記挿入穴に差し込まれて前記凹部内に進出して係合する爪部とを備え、前記爪部の上面には、凹所又は凸部が設けられていることを特徴とする。
【００１０】
固定部の凹部に設けた挿入穴に爪部を挿入して係合することによって、ベースプレートとフロントパネルとを着脱可能に固定する。爪部の上面には、凹所又は凸部が設けられているので、作業者が凹所又は凸部の段差を触手によって認識し、爪部の存在を確認することができる。したがって、ベースプレートとフロントパネルとを着脱する固定部がベースプレートとフロントパネルの上部に設けられており、作業者が視認困難な場合であっても、確実に爪部の存在を認識することができる。
【００１１】
さらに、本発明の空気調和装置の室内機では、前記固定部は、複数設けられ、複数の前記固定部の少なくとも１つには、前記爪部が前記凹部に配置され、その他の前記固定部には、前記爪部が前記凹部に配置されていないことを特徴とする。
【００１２】
複数の固定部の少なくとも１つには、爪部が凹部に配置され、その他の固定部には爪部が凹部に配置されていない。したがって、室内機の機種によって、爪部と凹部の組み合わせを変えることができる。例えば、重い機種の場合には軽い機種に比べて多くの爪部を凹部に係合させることとする。このような場合であっても、作業者は、爪部が存在する固定部と存在しない固定部とを判別することができるので、機種が異なっていても作業を誤ることがない。
【発明の効果】
【００１３】
凹部に挿入された前記爪部との間に触手可能な底面を凹部に設けることとしたので、ベースプレートとフロントパネルとを着脱する固定部がベースプレートとフロントパネルの上部に設けられている場合であっても、確実に爪部の存在を認識することができる。
【図面の簡単な説明】
【００１４】
【図１】本発明の一実施形態に係る空気調和装置の室内機を示した斜視図である。
【図２】図１の室内機を上方から見た平面図である。
【図３】凹部に対して爪部を挿入した状態を示した部分拡大図である。
【図４】凹部に対して爪部が挿入されていない状態を示した部分拡大図である。
【図５】爪部を示した平面図である。
【発明を実施するための形態】
【００１５】
以下に、本発明にかかる一実施形態について、図面を参照して説明する。
図１には、空気調和装置の室内機１の外観が示されている。室内機１は、壁掛形とされており、上方から室内空気を吸い込み、下方から室内へと空調後の空気を吹き出す。室内機１は、図示しない室外機と接続されており、室外機にて圧縮された冷媒の供給を受け、室内機１の内部に設けられた室内熱交換器によって室内の空気を所定温度に調整する。
【００１６】
室内機１は、室内の壁面に固定されたベースプレート３と、ベースプレート３の前方に位置し、ベースプレート３に対して着脱可能に固定されるフロントパネル５とを備えている。
【００１７】
図２には、室内機１を上方から見た平面図が示されている。同図において室内の壁面側が奥となっている。室内機１の壁面側には、室内機１の幅方向（同図において左右方向）に沿って複数の固定部７が設けられている。本実施形態では、同図において左方から、第１固定部７ａ、第２固定部７ｂ、第３固定部７ｃ、第４固定部７ｄ及び第５固定部７ｅの５つの固定部７が設けられている。もちろん固定部７の数はこれに限定されるものではなく、６つ以上であっても良い。
【００１８】
固定部７は、室内機１を正面から見ると、室内機１の奥側でかつ上方に位置している。したがって、下方からアクセスする作業者にとっては視認性が悪い位置に固定部７が位置している。このため、作業者は手探りで固定部７にアクセスすることになる。
【００１９】
図３に示すように、固定部７は、ベースプレート３の上方に設けられた凹部８と、フロントパネル５に設けられた爪部９とを備えている。なお、図４には、爪部９が存在していない凹部８が示されており、図５には爪部９のみが示されている。
【００２０】
凹部８は、ベースプレート３の上面から下方に凹んだ底面８ａが形成されている。底面８ａの幅方向における中央は平坦面とされている。凹部８の手前側には、爪部９が挿入可能とされた挿入穴８ｂが設けられている。
【００２１】
爪部９は、フロントパネル５の上部のベースプレート３側の端面から、ベースプレート３に向かって突出するように設けられている。爪部９は、図３のように平面視すると、幅広な略矩形状とされている。爪部９は、取り付けた場合に、凹部８の底面８ａの平坦面に亘って配置されている。爪部９の下面には図示しない係止部が設けられており、ベースプレート３側の被係止部に係合するようになっている。この係合は、爪部９の上面を押圧することによって外れるようになっている。
【００２２】
爪部９の側方と凹部８の側部との間には、作業者の指が入り触手可能な寸法Ａとされた隙間１０が設けられている。寸法Ａとしては、２ｍｍから５ｍｍとされる。この隙間１０によって、作業者は凹部８の底面８ａと爪部９との段差を触手によって認識できるようになっている。なお、隙間１０は、図３のように爪部９の両側に設けても良いし、爪部９の片側のみに設けても良い。
【００２３】
爪部９の上面には、幅方向に並んだ２つの凸部９ａが設けられている。凸部９ａの頂面は平坦面とされている。これら凸部９ａは、作業者の触手によって段差が認識可能な形状とされている。なお、凸部９ａの数は３つ以上であっても良いし、１つのみであっても良い。また、凸部９ａに代えて凹んだ凹所としても良い。
【００２４】
図２に示すように、固定部７の凹部８の全てに爪部９が挿入されて固定されているわけではない。図２では、第３固定部７ｃには爪部９が挿入されていない。すなわち、フロントパネル５には、第３固定部７ｃに対応する位置に爪部９を備えていない。その他の固定部７すなわち第１固定部７ａ、第２固定部７ｂ、第４固定部７ｄ及び第５固定部７ｅには、爪部９が挿入されている。したがって、これら固定部７ａ，７ｂ，７ｄ，７ｅに対応する位置には、フロントパネル５に爪部９が設けられている。このような構成としたのは、ベースプレート３を共通化して、フロントパネル５を機種に応じて使い分けるためである。例えば、重い機種の場合には軽い機種に比べて多くの爪部９をフロントパネル５に設ける。したがって、軽い機種の場合には、例えば、第１固定部７ａ、第３固定部７ｃ及び第５固定部７ｅの３箇所に対応する位置のみに爪部９を設ける。
【００２５】
上述の室内機１によれば、以下の作用効果を奏する。
固定部７の凹部８に挿入された爪部９との間に、作業者の指で触手可能な底面８ａが設けられているので、作業者が底面８ａと爪部９との段差を触手によって認識し、爪部９の存在を確認することができる。したがって、ベースプレート３とフロントパネル５とを着脱する固定部７がベースプレート３とフロントパネル５の上部に設けられており、作業者が視認困難な場合であっても、確実に爪部９の存在を認識することができる。
【００２６】
爪部９の上面に、凸部９ａを設けることとしたので、作業者が凸部９ａの段差を触手によって認識し、爪部９の存在を確認することができる。したがって、ベースプレート３とフロントパネル５とを着脱する固定部７がベースプレート３とフロントパネル５の上部に設けられており、作業者が視認困難な場合であっても、確実に爪部９の存在を認識することができる。
【００２７】
複数の固定部７の少なくとも１つには、爪部９が凹部８に配置され、その他の固定部７には爪部９が凹部８に配置されないようにして、室内機１の機種によって、爪部９と凹部８の組み合わせを変えることとした。具体的には、重い機種の場合には軽い機種に比べて多くの爪部９を凹部８に係合させることとする。このような場合であっても、作業者は、爪部９が存在する固定部７と存在しない固定部７とを判別することができるので、機種が異なっていても作業を誤ることがない。
【００２８】
なお、上述した実施形態では、凹部８をベースプレート３に設け、爪部９をフロントパネル５に設ける構成としたが、爪部９をベースプレート３に設け、凹部８をフロントパネル５に設ける構成としても良い。
【符号の説明】
【００２９】
１  室内機
３  ベースプレート
５  フロントパネル
７  固定部
８  凹部
８ａ  底面
８ｂ  挿入穴
９  爪部
９ａ  凸部
【図１】
2018189281.tif 000003
【図２】
2018189281.tif 000004
【図３】
2018189281.tif 000005
【図４】
2018189281.tif 000006
【図５】
2018189281.tif 000007